(57)【要約】【課題】施工性に優れ、枕木の長手方向へのずれ難さの指標である道床横抵抗が高い状態を長期間保持することができるバラストに一部が埋設されて使用される鉄道用枕木を提供することを目的としている。【解決手段】バラストに一部が埋設されて使用される鉄道用枕木において、枕木本体と、この枕木本体の下面及び枕木本体の長軸に平行な両側面のうち、少なくとも下面または枕木本体の長軸に平行な両側面のバラスト埋設部に枕木本体から外側に突出するように設けられた複数の小突起とを備えていることを特徴としている。【選択図】      図３
2009264038.tif 000002
【特許請求の範囲】
【請求項１】
バラストに一部が埋設されて使用される鉄道用枕木において、枕木本体と、この枕木本体の下面及び枕木本体の長軸に平行な両側面のうち、少なくとも下面または枕木本体の長軸に平行な両側面のバラスト埋設部に枕木本体から外側に突出するように設けられた複数の小突起とを備えていることを特徴とする鉄道用枕木。
【請求項２】
小突起がバラストと略同じ硬度の材料から形成されている請求項１に記載の鉄道用枕木。
【請求項３】
各小突起の最大長さが５ｍｍ以上３０ｍｍ以下である請求項１または請求項2に記載の鉄道用枕木。
【請求項４】
枕木本体が、繊維強化樹脂発泡体からなる請求項１〜請求項３のいずれかに記載の鉄道用枕木。
【発明の詳細な説明】
【技術分野】
【０００１】
本発明は、道床を構成するバラスト（砕石や砂利）に一部が埋設されて使用される鉄道用枕木に関する。
【背景技術】
【０００２】
鉄道用枕木の場合、列車から加わる振動や遠心力、レールの夏場の線膨張による伸びによって、枕木の長手方向にずれようとする力が発生する。
したがって、軌道を安定化させるには、この枕木の長手方向にずれようとする力が枕木に加わっても、枕木がずれないようにする必要がある。
【０００３】
そこで、道床を構成するバラストに下端部が埋設された状態で使用される鉄道用枕木において、道床横抵抗を向上させるために、その長手方向が枕木本体の長軸とほぼ直交する方向に形成された柱状体、Ｕ字状やＬ字状のチャンネル等からなる突条部を枕木本体の下面や側面にブロック状に備える枕木（特許文献１参照）や枕木の下面側を比重の低い素材で形成し、この部分にバラストが食い込むようにした枕木（特許文献２参照）が提案されている。
【０００４】
しかし、前者の枕木の場合、その突条部の大きさが大きくないと抵抗向上の効果が低く、突条部を大きくした場合、枕木を設置する際に、突条部が入り込む凹部を予め余分にバラスト敷設部に設ける必要があり、施工の作業が煩雑になるという問題がある。
一方、後者の枕木の場合、度重なる振動により低比重の素材部分が磨耗して、抵抗向上の効果が永続しにくいという問題がある。
【０００５】
【特許文献１】実開平5-057001号公報
【特許文献２】特開平5-255903号公報
【発明の開示】
【発明が解決しようとする課題】
【０００６】
本発明は、上記事情に鑑みて、施工性に優れ、枕木の長手方向へのずれ難さの指標である道床横抵抗が高い状態を長期間保持することができるバラストに一部が埋設されて使用される鉄道用枕木を提供することを目的としている。
【課題を解決するための手段】
【０００７】
上記目的を達成するために、本発明にかかる鉄道用枕木は、バラストに一部が埋設されて使用される鉄道用枕木において、枕木本体と、この枕木本体の下面及び枕木本体の長軸に平行な両側面のうち、少なくとも下面または枕木本体の長軸に平行な両側面のバラスト埋設部に枕木本体から外側に突出するように設けられた複数の小突起とを備えていることを特徴としている。
【０００８】
本発明において、枕木本体の材質は、特に限定されないが、繊維強化樹脂、コンクリート、木材及びこれらの複合材料が挙げられ、軽量化を図るため繊維強化樹脂の発泡体が好適である。
繊維強化樹脂のマトリックス樹脂としては、特に限定されないが、例えば、不飽和ポリエステル樹脂、ビニルエステル樹脂、ウレタン樹脂、エポキシ樹脂、フェノール樹脂等が挙げられる。
【０００９】
小突起は、特に限定されないが、その硬度がバラストと略同じ硬度の材料で形成されていることが好ましい。
すなわち、小突起がバラストより軟らかいと、小突起が磨耗しやすく、小突起がバラストより硬いと、小突起周囲のバラストが磨耗しやすい。
【００１０】
小突起の好ましい材料としては、上記のようにその硬度がバラストと略同じ硬度であれば、特に限定されないが、バラストとして用いられている花崗岩と同じ花崗岩などの石材を用いることが好ましい。
【００１１】
小突起の大きさは、特に限定されないが、一般的に用いられているバラストの最大長さが４０〜６０ｍｍであるので、各小突起の最大長さが５ｍｍ以上３０ｍｍ以下であることが好ましい。
すなわち、小突起が大きすぎると、バラストと小突起との間に隙間ができ、かえって枕木が不安定になってしまうおそれがあり、小さすぎると、バラストとの引っ掛かりが小さくて、抵抗の向上への寄与が小さくなってしまう。
なお、本発明において、小突起の最大長さとは、枕木本体の小突起が設けられた面に平行な面で測定した場合の最大長さである。
【００１２】
小突起の形状は、特に限定されないが、角張った形状をしていることが好ましい。すなわち、小突起が丸みを帯びている場合、周囲のバラストとの抵抗が小さくなるおそれがある。
【００１３】
小突起の数は、特に限定されないが、小突起の枕木本体への投影面積の合計が枕木本体のバラスト埋設部の総表面積の１０％以上を占めるような数とすることが好ましく、１０％以上８０％以下がより好ましい。
すなわち、小突起の数が少なすぎても多すぎても、抵抗を向上させる効果が少なくなってしまう。
【００１４】
小突起の形成方法は、特に限定されないが、小突起となる石材等の粒状体を枕木本体の所望の面に接着固定方法が挙げられる。
接着剤としては、バラストとの擦れにより小突起となる石材等が取れてしまわない強度で固着できれば特に限定されないが、例えば、不飽和ポリエステル樹脂、ビニルエステル樹脂、ウレタン樹脂、エポキシ樹脂、フェノール樹脂、コンクリートモルタルなどの接着剤が挙げられる。
【００１５】
具体的には、例えば、予め製造された枕木本体の下面となる面を上に向けて、小突起となる石材を上下に重ならないように枕木本体に配置し、接着剤が周囲に流れ落ちないように、堰を周囲に設けた後、石材が半分程度埋まるまで、接着剤を流し込み石材を接着剤によって枕木本体に接着固定することによって枕木本体の下面に小突起を設けた枕木を製造することができる。
【発明の効果】
【００１６】
本発明にかかる鉄道用枕木は、バラストに一部が埋設されて使用される鉄道用枕木において、枕木本体と、この枕木本体の下面及び枕木本体の長軸に平行な両側面のうち、少なくとも下面または枕木本体の長軸に平行な両側面のバラスト埋設部に枕木本体から外側に突出するように設けられた複数の小突起とを備えているので、施工性に優れ、枕木の長手方向へのずれ難さの指標である道床横抵抗が高い状態を長期間保持することができる。
【００１７】
また、小突起を、その硬度がバラストと略同じ硬度の材料で形成されたものとすれば、より長期間安定して道床横抵抗が高い状態を保つことができる。
そして、小突起の大きさを、最大長さが５ｍｍ以上３０ｍｍ以下とすれば、一般的に用いられているバラストを用いた道床に敷設した場合において、より確実に道床横抵抗を高いものとすることができる。
さらに、枕木本体を繊維強化樹脂発泡体で形成すれば、軽量で施工性に優れたものとすることができる。
【発明を実施するための最良の形態】
【００１８】
以下に、本発明を、その実施の形態をあらわす図面を参照しつつ詳しく説明する。
図１は、本発明にかかる鉄道用枕木の第１の実施の形態をあらわしている。
【００１９】
図１に示すように、この鉄道用枕木Ａは、枕木本体１と多数の小突起２と備えている。
枕木本体１は、長手方向に向けて埋設された長繊維で補強された熱硬化性樹脂発泡
体からなる。
【００２０】
小突起２は、枕木本体１の下面１１にマトリックス樹脂と同じ熱硬化性樹脂接着剤（図示せず）を用いて花崗岩の小石を接着することによって下面１１の全面にわたって略均等に分散された状態に設けられている。
小突起２の大きさは、各小突起の最大長さが５ｍｍ以上３０ｍｍ以下となっている。
また、小突起２は、小突起２の枕木本体１への投影面積の合計が枕木本体１の下面１１の６０％を占めるような数設けられている。
【００２１】
図２は、本発明にかかる鉄道用枕木の第２の実施の形態をあらわしている。
図２に示すように、この鉄道用枕木Ｂは、小突起２が枕木本体１の長軸に平行な両側壁面１２に全面にわたって略均等に分散された状態に設けられている以外は、上記鉄道用枕木Ａと同様になっている。
また、小突起２は、小突起２の枕木本体１への投影面積の合計が枕木本体１の両側壁面１２の５０％を占めるような数設けられている。
【００２２】
図３は、本発明にかかる鉄道用枕木の第３の実施の形態をあらわしている。
図３に示すように、この鉄道用枕木Ｃは、小突起２が枕木本体１の下面１１だけでなく、枕木本体１の長軸に平行な両側壁面１２にも設けられている以外は、上記鉄道用枕木Ａと同様になっている。
また、小突起２は、下面１１に設けられた小突起２の枕木本体１への投影面積の合計が枕木本体１の下面１１の６０％を占めるとともに、両側壁面１２に設けられた小突起２の枕木本体１への投影面積の合計が枕木本体１の両側壁面１２の５０％を占めるような数設けられている。
【００２３】
本発明は、上記の実施の形態に限定されない。例えば、上記の実施の形態では枕木本体の木口面には小突起が設けられていなかったが、木口面にも小突起が設けられても構わない。
上記の実施の形態では、枕木本体を成形後、枕木本体の各面に石材を接着するようにしていたが、枕木本体が注型成形で得られるような場合、型面に小突起となる凹部を設け、枕木本体を成形すると同時に小突起を成形するようにしても構わないし、石材を凹部に収容した状態で型内に枕木本体を形成するコンクリートモルタルや樹脂を流し込んで、枕木本体を成形すると同時に石材を接着一体化するようにしても構わない。
【００２４】
上記の実施の形態では、小突起が側壁面の全面に略均等に分散状態で設けられていたが、
側壁面のバラストに埋設する部分のみに小突起を設けるようにしてもよい。
【図面の簡単な説明】
【００２５】
【図１】本発明にかかる鉄道用枕木の第１の実施の形態であって、同図（ａ）はその正面図、同図（ｂ）はその側面図である。
【図２】本発明にかかる鉄道用枕木の第２の実施の形態であって、同図（ａ）はその正面図、同図（ｂ）はその側面図である。
【図３】本発明にかかる鉄道用枕木の第３の実施の形態であって、同図（ａ）はその正面図、同図（ｂ）はその側面図である。
【符号の説明】
【００２６】
Ａ，Ｂ，Ｃ  鉄道用枕木
１  枕木本体
１１  下面
１２  側壁面
２  小突起
【図１】
2009264038.tif 000003
【図２】
2009264038.tif 000004
【図３】
2009264038.tif 000005